(57)【要約】【課題】  部品点数を少なくして、コストダウンを可能にする。【解決手段】生ゴミを収納する処理容器Ｒと、この処理容器内に設けた回転ばねＣと、処理容器の外側にあって電磁波を照射する電磁波照射手段Ｅとを備えている。また、上記回転ばねは、その先端が描く回転軌跡のレベルを相対的に高く保った第１羽根部１０と、先端が描く回転軌跡のレベルを第１羽根部よりも低く保った第２羽根部１１とを備えている。そして、この第２羽根部１１の先端を下向きに折り曲げて粉砕片１１ａとする一方、処理容器の壁面との間に間隔を保った起立片１２を処理容器Ｒの底面に設け、回転ばねＣの回転過程で上記粉砕片１１ａが起立片１２と処理容器の壁面との間を通過する構成にしている。【選択図】  図１
2011016078.tif 000002
【特許請求の範囲】
【請求項１】
生ゴミを収納する処理容器と、この処理容器内に設けた回転ばねと、処理容器の外側にあって電磁波を照射する電磁波照射手段とを備え、上記回転ばねは、その先端が描く回転軌跡のレベルを相対的に高く保った第１羽根部と、先端が描く回転軌跡のレベルを第１羽根部よりも低く保った第２羽根部とを備え、この第２羽根部の先端を下向きに折り曲げて粉砕片とする一方、処理容器の壁面との間に間隔を保った起立片を処理容器の底面に設け、回転ばねの回転過程で上記粉砕片が起立片と処理容器の壁面との間を通過する構成にした生ゴミ処理機。
【請求項２】
上記処理容器を、ハウジングに相対回転不能にして取り付けた請求項１記載の生ゴミ処理機。
【請求項３】
上記第１羽根部の先端が描く回転軌跡のレベル位置に、電磁照射手段からの電磁波を照射するとともに、電磁波照射位置で回転軌跡を描く第１羽根部の先端を上記処理容器の内面に近接させた請求項１または２記載の生ゴミ処理機。
【発明の詳細な説明】
【技術分野】
【０００１】
この発明は、生ゴミに電磁波を照射して乾燥させる生ゴミ処理機に関する。
【背景技術】
【０００２】
この種のものとして特許文献１に記載された処理機が従来から知られている。この特許文献１に記載された生ゴミ処理機は、処理容器の外側に電磁波を照射する電磁波照射手段を設け、この電磁波によって処理容器内の生ゴミを乾燥させるようにしている。
そして、上記処理容器には、その中に入れた生ゴミを粉砕するための回転カッターと、生ゴミをかく拌するためのかく拌羽根とを設けるとともに、上記回転カッターとは別に、処理容器の内面に付着した生ゴミをかき取るためのワイパーを設けている。
そして、上記回転カッターとかく拌羽根には、個別に電動モータを設け、これら両電動モータの駆動力で、回転カッターとかく拌羽根のそれぞれを回転させるようにしている。
【０００３】
なお、上記ワイパーは、処理容器の内面にこびり付いた乾燥過程の生ゴミをかき落とすためのものである。つまり、処理容器の内面に乾燥過程の生ゴミがこびり付いた状態を放置しておくと、生ゴミが処理容器の内面に焦げ付き電磁波の照射効率が落ちるので、それを防止するためである。
【０００４】
上記のように電磁波の照射効率を保つとともに、生ゴミの焦げ付きおよび処理容器の損傷を防止するために、従来の生ゴミ処理機にはワイパーを設けるようにしていた。
【先行技術文献】
【特許文献】
【０００５】
【特許文献１】特開２０００−２３４８５７号公報
【発明の概要】
【発明が解決しようとする課題】
【０００６】
上記のようにした従来の生ゴミ処理機では、処理容器内に回転要素として、回転カッター、かく拌羽根およびワイパーのそれぞれを必要としていた。しかし、回転カッター、かく拌羽根およびワイパーを必要とすること自体、部品点数が多くなってコストアップの要因になるが、これら回転カッター、かく拌羽根およびワイパーは、すべて回転させなければならないので、それらの回転機構には、例えばシールや軸受等を必要とする。また、その組み付け精度もある程度要求されるので、それらがさらにコストを押し上げることになっていた。
【０００７】
この発明の目的は、処理容器内の回転要素を少なくして、大幅なコストダウンを可能にするとともに、処理能力を向上させた生ゴミ処理機を提供することである。
【課題を解決するための手段】
【０００８】
この発明は、生ゴミを収納する処理容器と、この処理容器内に設けた回転ばねと、処理容器の外側にあって電磁波を照射する電磁波照射手段とを備えた生ゴミ乾燥装置を前提にする。
上記装置を前提にしつつ、第１の発明は、回転ばねが、その先端が描く回転軌跡のレベルを相対的に高く保った第１羽根部と、先端が描く回転軌跡のレベルを第１羽根部よりも低く保った第２羽根部とを備え、第２羽根部の先端を下向きに折り曲げて粉砕片とする一方、処理容器の壁面との間に間隔を保った起立片を処理容器の底面に設け、回転ばねの回転過程で上記粉砕片が起立片と処理容器の壁面との間を通過する構成にしている。
【０００９】
第２の発明は、上記処理容器を、ハウジングに相対回転不能にして取り付けている。
第３の発明は、上記第１羽根部の先端が描く回転軌跡のレベル位置に、電磁照射手段からの電磁波を照射するとともに、電磁波照射位置で回転軌跡を描く第１羽根部の先端を上記処理容器の内面に近接させている。
【発明の効果】
【００１０】
第１および２の発明によれば、処理容器内の生ゴミは、第２羽根部の粉砕片と起立片との間に挟まれて粉砕されるので、従来のように回転する部材は回転ばねだけで足りる。このように回転機構を簡素化できるので、シールや軸受等も少なくてすみ、その分、コストを大幅に下げることができる。
第３の発明によれば、電磁波の照射位置に対応する処理容器の内面に付着した生ゴミは、その内面に近接させた第１羽根部でかき取ることができる。
【図面の簡単な説明】
【００１１】
【図１】図１はこの発明の実施形態を示す断面図である。
【発明を実施するための形態】
【００１２】
図１に示した実施形態は、フタ１を開閉可能にしたハウジングＨに、処理容器Ｒを取り外し可能に設けている。すなわち、ハウジングＨの底面に支持凸部２を設けるとともに、処理容器Ｒの底面には凹部３を設け、この凹部３を上記支持凸部２にはめ込むようにして、処理容器Ｒを取り外し可能にしている。ただし、この状態で処理容器Ｒは、ハウジングＨに対して、相対回転できない構成にしている。
【００１３】
また、上記支持凸部２の下方には電動モータＭを設けるとともに、この電動モータＭの駆動軸４の先端には歯形を形成した連結部材５を設けている。なお、符号６は支持凸部２に設けたベアリングで、上記駆動軸４を回転自在に支持するためのものである。
【００１４】
一方、上記処理容器Ｒ内には、その底部中央に支柱７を設けるとともに、この支柱７で、回転ばねＣの回転軸８を回転自在に支持している。そして、この回転軸８の下端には、上記連結部材５の歯形にかみ合う歯形を形成した連結部材９を設けている。
そして、上記のように処理容器Ｒの凹部３を支持凸部２にはめ込んだとき、上記連結部材５，９が互いにかみ合うとともに、電動モータＭの回転力が駆動軸４及び回転軸８を介して回転ばねＣに伝達されるようにしている。
【００１５】
上記回転ばねＣは、第１羽根部１０と第２羽根部１１とを備えるとともに、第１羽根部１０を第２羽根部１１に対して相対的に高い位置を保つようにしている。
また、上記第２羽根部１１の先端には、下方に向かってほぼ直角に折り曲げた粉砕片１１ａを設けている。
【００１６】
そして、処理容器Ｒの底面には、処理容器Ｒの壁面との間に間隔を保った起立片１２を設け、回転ばねＣの回転過程で上記粉砕片１１ａが、起立片１２と処理容器Ｒの壁面との間を通過するようにしている。
【００１７】
そして、上記ハウジングＨ内であって、処理容器Ｒの側面に対応する位置に電磁波照射手段Ｅを設けているが、この電磁波照射手段Ｅは、処理容器Ｒの側面に向かって電磁波を照射するようにしている。
【００１８】
なお、電磁波照射手段Ｅから照射される電磁波は、上記回転ばねＣの第１羽根部１０の先端が描く回転軌跡上に照射されるようにしている。言い換えると、電磁波照射手段Ｅから照射される電磁波の範囲に、回転ばねＣの第１羽根部１０の先端が描く回転軌跡が位置する構成にしている。
【００１９】
上記のようにした生ゴミ処理機は、その処理容器Ｒに生ゴミを投入するとともに、電磁波照射手段Ｅから電磁波を照射させならが、電動モータＭを駆動して回転ばねＣを回転させる。
【００２０】
処理容器Ｒ内に生ゴミを入れた状態で回転ばねＣを回転させれば、第１羽根部１０と第２羽根部１１とによって生ゴミが粉砕されるとともにかく拌される。そして、上記かく拌過程で、生ゴミは電磁波照射手段Ｅから照射される電磁波の作用で加熱されるとともに、その熱で生ゴミは乾燥させられる。
【００２１】
また、回転ばねＣが回転すると、その粉砕片１１ａが、処理容器Ｒの壁面と起立片１２との間を通過するので、生ゴミは粉砕片１１ａと起立片１２との間にあって、効率よく粉砕される。特に、表面のみが乾燥して中心の部分が十分に乾ききっていない半乾きのゴミは、これら粉砕片１１ａおよび起立片１２によってせん断され、さらに効率的な乾燥が可能になる。
【００２２】
さらに、電磁波照射手段Ｅの電磁波照射範囲に、第１羽根部１０の先端が描く回転軌跡のレベルを対応さるとともに、その第１羽根部１０の先端を処理容器の内面に近接させている。したがって、少なくとも電磁波の照射位置に付着した生ゴミは、上記第１羽根部１０でかき取られることになり、電磁波照射位置において、生ゴミが乾燥した状態でこびり付き、それが焦げ付いたりしないし、生ゴミが焦げ付いたときの熱で処理容器Ｒに穴が開いたりもしない。
【００２３】
このように電磁波の照射位置に付着した生ゴミは、第１羽根部１０でかき取られるようにしたので、処理容器Ｒを回転させなくても、特に問題が発生しない。もし、電磁波の照射位置に付着した生ゴミを除去できない状態で電磁波を照射し続ければ、上記したように生ゴミが焦げ付いてしまうので、処理容器Ｒを回転させて一箇所だけに電磁波が集中しないようにしなければならない。しかし、この実施形態によれば、電磁波の照射位置に付着した生ゴミは、第１羽根部１０でかき取られるので、処理容器Ｒを回転させる必要がない。
【産業上の利用可能性】
【００２４】
この発明は、処理容量が少ない家庭用の生ゴミ処理機として最適である。
【符号の説明】
【００２５】
Ｈ      ハウジング
Ｒ      処理容器
Ｍ      電動モータ
Ｃ      回転ばね
１０      第１羽根部
１１      第２羽根部
１１ａ    粉砕片
１２      起立片
Ｅ      電磁波照射手段
【図１】
2011016078.tif 000003